(57)【特許請求の範囲】
【請求項１】
円柱形状の棒であって、一方の先端から長手方向に所定の長さの領域における外側面上と、前記一方の先端とは異なる他方の先端から長手方向に所定の長さの領域における外側面上との各々に同一方向に螺旋状にネジ山の設けられた棒状体である支持棒と、ネジ孔を有する枠体であって、前記ネジ孔に前記支持棒の前記他方の先端側に設けられた前記ネジ山が螺合することにより、前記支持棒の長手方向に垂直な方向の両側に開口した状態で前記支持棒に連結される枠体と、前記枠体に連結された被吊下物とを備え、前記支持棒の前記他方の先端側の端面は、前記ネジ孔に対する前記支持棒の長手方向を軸とする回転に伴い、前記枠体の壁部内側面に接触または近接するように移動する吊下器具を建物の天井下面に取り付けるための取付器具であって、
前記建物の床面上のユーザが前記建物の天井に前記吊下器具を到達させるための棒状体である操作棒と、
前記操作棒の前記ユーザにより保持される側とは異なる側の端部に設けられ、前記操作棒の長手方向に沿った平面上に配置された板状体と、
前記板状体を含む平面上の前記操作棒の長手方向に垂直な方向を左右方向とし、前記板状体の左右方向における中心点を結んだラインを中央線とするとき、前記中央線上のいずれかの位置において、前記板状体から前記板状体を含む平面に垂直な方向に突起する第１の突起部と、
前記板状体の前記第１の突起部が突起する位置より先端側の位置であって前記板状体の前記中央線を対称軸とする互いに対称な２つの位置において、前記第１の突起部と同じ方向に突起する２個の第２の突起部と
を備え、
前記枠体の開口を貫くように前記第１の突起部を前記枠体に挿入し、かつ、前記２個の第２の突起部の間に前記支持棒を挿入した状態で、前記枠体に対し前記支持棒が長手方向を軸とする軸周りに所定の方向に回転されると、当該回転に伴う前記支持棒の移動により、前記支持棒の前記他方の先端側の端面と前記枠体の壁部内側面とで前記第１の突起部が挟持される
取付器具。
【請求項２】
前記第１の突起部は、前記支持棒の前記他方の先端側の端面と前記枠体の壁部内側面とで狭持された状態において、前記支持棒の前記他方の先端側の端面と点または線で接する形状を有する
請求項１に記載の取付器具。
【請求項３】
前記第１の突起部は、前記支持棒の前記他方の先端側の端面と前記枠体の壁部内側面とで狭持された状態において、前記枠体の壁部内側面と互いに所定の角度をなして交わる２以上の平面で接する形状を有する
請求項１または２に記載の取付器具。
【発明の詳細な説明】
【技術分野】
【０００１】
本発明は、管やケーブルなどを支持する吊りバンドなどの吊下器具を建物の天井下面に取り付けるための取付器具に関する。
【背景技術】
【０００２】
従来から、管やケーブルなどを支持する吊下器具を建物の天井下面に取り付けるためには、足場を組み、作業者が当該足場の上に乗って行う、という方法が用いられている。
【０００３】
例えば、特許文献１には、予め天井のアンカーに螺着した全ネジに対し螺合されるナットを備えた配管吊下器具が開示されている。このような配管吊下器具を全ネジに取り付けるためには、一般的に、作業者が足場に上って直接、配管吊下器具のナットを全ネジにねじ込む、という作業が行われる。
【先行技術文献】
【特許文献】
【０００４】
【特許文献１】特開２００３−２６９６５７号公報
【発明の概要】
【発明が解決しようとする課題】
【０００５】
足場を組み、作業者がその足場に上って吊下器具の取り付けを行う、という作業は、作業者の足場からの落下という危険を伴うとともに、異なる天井の位置に多数の吊下器具を取り付ける必要がある場合、その各々に関し、いったん作業者が足場から降り、足場を移動した後に再度足場に上る、という動作を要するため、多大な時間と労力を要する。そのため、より簡便な吊下器具の取り付け方法に対するニーズがある。
【０００６】
そこで、本発明は、吊下器具を簡便に建物の天井下面に取り付ける手段を提供することを目的とする。
【課題を解決するための手段】
【００１０】
本発明は、上記の目的に鑑みて想到されたものであり、
円柱形状の棒であって、一方の先端から長手方向に所定の長さの領域における外側面上と、前記一方の先端とは異なる他方の先端から長手方向に所定の長さの領域における外側面上との各々に同一方向に螺旋状にネジ山の設けられた棒状体である支持棒と、ネジ孔を有する枠体であって、前記ネジ孔に前記支持棒の前記他方の先端側に設けられた前記ネジ山が螺合することにより、前記支持棒の長手方向に垂直な方向の両側に開口した状態で前記支持棒に連結される枠体と、前記枠体に連結された被吊下物とを備え、前記支持棒の前記他方の先端側の端面は、前記ネジ孔に対する前記支持棒の長手方向を軸とする回転に伴い、前記枠体の壁部内側面に接触または近接するように移動する吊下器具を建物の天井下面に取り付けるための取付器具であって、
前記建物の床面上のユーザが前記建物の天井に前記吊下器具を到達させるための棒状体である操作棒と、
前記操作棒の前記ユーザにより保持される側とは異なる側の端部に設けられ、前記操作棒の長手方向に沿った平面上に配置された板状体と、
前記板状体を含む平面上の前記操作棒の長手方向に垂直な方向を左右方向とし、前記板状体の左右方向における中心点を結んだラインを中央線とするとき、前記中央線上のいずれかの位置において、前記板状体から前記板状体を含む平面に垂直な方向に突起する第１の突起部と、
前記板状体の前記第１の突起部が突起する位置より先端側の位置であって前記板状体の前記中央線を対称軸とする互いに対称な２つの位置において、前記第１の突起部と同じ方向に突起する２個の第２の突起部と
を備え、
前記枠体の開口を貫くように前記第１の突起部を前記枠体に挿入し、かつ、前記２個の第２の突起部の間に前記支持棒を挿入した状態で、前記枠体に対し前記支持棒が長手方向を軸とする軸周りに所定の方向に回転されると、当該回転に伴う前記支持棒の移動により、前記支持棒の前記他方の先端側の端面と前記枠体の壁部内側面とで前記第１の突起部が挟持される
取付器具を提供する（第１の実施態様）。
【００１１】
また、上記の第１の実施態様において、
前記第１の突起部は、前記支持棒の前記他方の先端側の端面と前記枠体の壁部内側面とで狭持された状態において、前記支持棒の前記他方の先端側の端面と点または線で接する形状を有する
構成を採用してもよい（第２の実施態様）。
【００１２】
また、上記の第１または２の実施態様において、
前記第１の突起部は、前記支持棒の前記他方の先端側の端面と前記枠体の壁部内側面とで狭持された状態において、前記枠体の壁部内側面と互いに所定の角度をなして交わる２以上の平面で接する形状を有する
構成を採用してもよい（第３の実施態様）。
【発明の効果】
【００１３】
本発明の第１の実施態様にかかる吊下器具の取付器具によれば、当該取付器具に当該吊下器具をセットし、当該取付器具の支持棒の端部を天井下面に予め配置されたインサートナットに押し当てながら、取付器具の操作棒を回転させることにより、作業者が足場に上り下りすることなく建物の天井下面に吊下器具の取り付けを行うことができる。
【００１４】
その際、インサートナットにしっかりと支持棒の端部がねじ込まれた後、取付器具の操作棒を逆方向に回転させることにより、吊下器具による取付器具の挟持が解放され、取付器具を天井下面に固定された吊下器具から容易に取り外すことができる。
【００１５】
本発明の第２の実施態様にかかる吊下器具の取付器具によれば、当該取付器具を用いて当該吊下器具を天井下面に取り付ける際、吊下器具と取付器具が所定の角度をなして交わる２平面で接するため、取付器具の操作棒を回転する際、吊下器具が取付器具からずれにくい。
【００１７】
本発明の第３の実施態様にかかる取付器具によれば、吊下器具を天井下面に取り付ける際、当該吊下器具が当該取付器具を点または線で挟持するため、取り付けが完了した後に操作棒を逆方向に回転させることで当該挟持を解放する際、その解放がスムーズに行われる。
【図面の簡単な説明】
【００１８】
【図１】図１は、本発明にかかる吊下器具の外観を示す概略図である。
【図２】図２は、本発明にかかる取付器具の外観を示す概略図である。
【図３】図３は、本発明にかかる吊下器具および取付器具をセットした状態の外観を示す概略図である。
【発明を実施するための形態】
【００１９】
（実施例）
以下、本発明の一具体例である実施例を、図面を用いて説明する。
【００２０】
図１は、本実施例にかかる吊下器具１の外観を示した概略図である。
【００２１】
吊下器具１は、全ネジである支持棒１１と、ネジ孔を有し支持棒１１に螺合される枠体１２と、枠体１２に連結された被吊下物１３とを備えている。
【００２２】
支持棒１１は、例えばスチール製の円柱形状の棒状体である。支持棒１１の長手方向の長さは、使用したい用途によって変化するため任意であるが、本実施例においては例えば１メートルとする。支持棒１１は、長手方向の全領域における外側面上に図１の下から見て時計回りに螺旋状にネジ山が設けられている。また、支持棒１１を長手方向に垂直な平面で切った断面の直径は、例えば３／８インチである。
【００２３】
後述するように、下から見て時計回りにネジ山が設けられている場合（右ネジ）、支持棒１１を建物の天井下面にネジ込むためには、支持棒１１を支持棒１１の長手方向を軸とする軸周りに下から上へ押圧しながら時計回りに回転させてやる必要がある。
【００２４】
枠体１２は、上部に六角の雌ネジ１２１（上述のネジ孔）を水平に配置した状態で有するとともに、雌ネジ１２１の下部に連結するように設けられた枠部１２２を有している。雌ネジ１２１および枠部１２２は、例えばともにスチール製である。
【００２５】
枠部１２２は、例えば細長い板状部材が長手方向の所定の部分において折れ曲がったような形状を有している。また、当該板状部材における長手方向と垂直な方向の幅は、例えば２．５センチメートルである。
【００２６】
より具体的には、枠部１２２は、雌ネジ１２１の下部に溶接され雌ネジ１２１から見て水平方向の両外側に所定の長さだけ延伸し、その後に各々垂直に折れ曲がるように真下に所定の長さだけ延伸し、さらにその後に各々６０度で内側に折れ曲がるように斜め下方に所定の長さだけ延伸し、両側から延伸してきた枠部１２２が合わさった所で各々１２０度で折れ曲がるように真下に所定の長さだけ延伸している。
【００２７】
枠部１２２において両側から合わさって各々１２０度で折れ曲がるように真下に所定の長さだけ延伸している部分には、両板状部材を垂直に貫くように孔が設けられている。被吊下物１３の所定の部位が有する孔が当該両板状部材の孔に連通するように、被吊下物１３が配置された状態で、それらの互いに連通した孔にボルト１４が挿入され、ナット１５による締め付けが行われている。その結果、枠体１２の下方に被吊下物１３が固定されている。
【００２８】
被吊下物１３は、配管もしくは配電等のケーブルを支持するためのスチール製の環状体である。当該環状体の環の直径は例えば１５センチメートルである。また、環状体の枠を構成する部分の幅は、例えば２．５センチメートルである。
【００２９】
使用に際し、支持棒１１は、雌ネジ１２１にねじ込まれる。すなわち、支持棒１１の有するネジ山は、雌ネジ１２１のネジ谷と螺合する。そして、雌ネジ１２１に対する支持棒１１の長手方向を軸とする軸周りの回転に伴い、支持棒１１の先端部分である一端面は枠体１２の壁部内側面（枠部１２２の構成する枠の内側の側面）に接触するまたは近接するように移動する。なお、支持棒１１と雌ネジ１２１との間の摩擦力が小さくなるように、雌ネジ１２１のネジ谷は支持棒１１のネジ山の深さに対し、通常のネジ谷よりもやや深めに切られている。
【００３０】
図１に示されるように、支持棒１１が枠体１２と螺合した状態においては、支持棒１１の枠体１２側の端部は、支持棒１１の長手方向を含む一平面上において全方向から枠部１２２により囲われる形となる。一方、支持棒１１は当該一平面の垂直方向においては枠部１２２により囲われず、作業者は枠体１２の開口から支持棒１１を視認することができる。
【００３１】
なお、枠体１２のうち支持棒１１の枠体１２にねじ込まれた側の端面と対向する領域の壁部内側面は、１２０度の角度をなして交わる２つの平面を形成している。これは、後述するように、取付器具２に対し吊下器具１をセットする際に、それらの係合をより確かなものにする役割を果たす。
【００３２】
以下、吊下器具１を建物の天井下面に取り付けるための取付器具２について説明する。
【００３３】
図２は、本実施例にかかる取付器具２の外観を示した概略図である。
【００３４】
取付器具２は、操作棒２１と、操作棒２１における長手方向に沿った平面上に配置された板状体２２と、第１の突起部２３と、２個の第２の突起部２４とを備える。
【００３５】
操作棒２１は、例えばスチール製の細長い棒状体である。操作棒２１は円筒形状を有しており、操作棒２１を長手方向と垂直な平面で切った断面の直径は例えば４．５センチメートルである。なお、操作棒２１の長手方向の長さは、使用したい用途によって任意であるが、本実施例においては例えば２．５メートルである。
【００３６】
板状体２２は、例えばスチール製である。板状体２２は、長さ２５センチメートル、幅５センチメートル、厚さ０．５センチメートルの細長い板状体を、その一方の端部から５センチメートルの部分を長手方向に対し垂直に折り曲げた形状をしている。
【００３７】
図２に示されるように、板状体２２は、上記の折り曲げられた部分において、例えば溶接により、操作棒２１の作業者に保持される側とは異なる側の端部上に取り付けられている。
【００３８】
その結果、板状体２２は操作棒２１の一方の端部からさらに延伸することになり、操作棒２１と板状体２２とを合わせた取付器具２の長手方向の長さは、例えば２．７メートルになる。
【００３９】
第１の突起部２３は、例えばスチール製である。第１の突起部２３は、長手方向の長さが例えば４センチメートルの棒状体である。第１の突起部２３を長手方向に垂直な平面で切った断面は、正六角形である。
【００４０】
第１の突起部２３は、板状体２２を含む平面上において操作棒２１の長手方向に垂直な方向を左右方向とするとき、当該左右方向における中央位置から板状体２２に対し垂直に突起している。
【００４１】
第２の突起部２４は、例えばスチール製である。第２の突起部２４は、長手方向の長さが例えば４センチメートルの板状の部材である。
【００４２】
第２の突起部２４は、板状体２２の操作棒２１側と異なる側の端縁部の左右方向における中央線を対称軸とする互いに対称な２つの位置から、第１の突起部２３と同じ方向に突起している。また、それら２個の第２の突起部２４は、それらの間に支持棒１１を縦に挿入することが可能な間隔を有している。
【００４３】
また、第２の突起部２４と第１の突起部２３との間の長さは、使用の用途に応じて変化するので任意であるが、本実施例においては６センチメートルとする。
【００４４】
以上のような構成を有する吊下器具１および取付器具２の使用方法の一例について、図面を用いて以下に説明する。
【００４５】
図３は、吊下器具１を取付器具２にセットした状態の外観を示す概略図である。
【００４６】
先ず、作業者は、枠体１２の上述の開口を貫くように第１の突起部２３を枠体１２に挿入する。これと同時に、作業員は、支持棒１１を２個の第２の突起部２４の間に挿入する。その状態で作業員が支持棒１１を長手方向を軸とする軸周りに所定の方向（上から見て時計回り）に回転させると、当該回転に伴い支持棒１１が枠体１２に対して相対的に下がってきて、支持棒１１の下側の端面と枠体１２の壁部内側面との間に第１の突起部２３が挟持される。これにより、取付器具２に対する吊下器具１のセットが完了する。
【００４７】
ところで、建物の天井下面には予め、支持棒１１の枠体１２に螺合されている側とは反対側の端部が挿入されるべきインサートナットが取り付けられている。作業者は、上記のように吊下器具１をセットした状態の取付器具２を持ち上げ、吊下器具１の支持棒１１の先端部を天井下面のインサートナットに挿入するように押し当てる。
【００４８】
その状態で、作業者が操作棒２１を所定の方向（下から見て時計回り）に回転させると、その力により板状体２２および第１の突起部２３が枠体１２を同方向に回転させる。それに伴い、枠体１２に下端で螺合され、第１の突起部２３にその位置が固定されている支持棒１１もまた、同方向に回転される。その結果、支持棒１１の上端がインサートナットにねじ込まれてゆく。
【００４９】
作業者は上記のように操作棒２１を回転させながら、支持棒１１をしっかりとインサートナットにねじ込むと、支持棒１１を先の所定の方向と逆の方向（下から見て反時計回り）に回転させる。その力により板状体２２および第１の突起部２３が枠体１２を同方向（下から見て反時計回り）に回転させる。
【００５０】
その際、支持棒１１の上端におけるインサートナットに対するねじ込みは硬く、支持棒１１の下端における雌ネジ１２１に対するねじ込みはそれと比べ緩い。そのため、支持棒１１はインサートナットに固定された状態を保ち回転せず、枠体１２のみが回転する。その結果、枠体１２が支持棒１１に対し下から見て反時計回りに回転しつつ下方に移動し、支持棒１１と枠体１２との間に挟持されていた第１の突起部２３がその挟持から解放される。
【００５１】
なお、第１の突起部２３は上述のように六角柱であり、支持棒１１の下端面は第１の突起部２３と線で接触しているため、支持棒１１と第１の突起部２３との間の摩擦力は、支持棒１１に対する枠体１２の回転を阻害する程大きくはない。
【００５２】
ところで、作業者は、操作棒２１を下から見て反時計回りに回転させる際、回転させ過ぎて支持棒１１の下端部と枠部１２２との螺合が解かれ、枠体１２が支持棒１１から脱落してしまわないように注意する必要がある。
【００５３】
上記のように第１の突起部２３が支持棒１１と枠体１２との間の挟持から解放されると、取付器具２と吊下器具１との連結はなくなる。そこで、作業者は操作棒２１を操作し、取付器具２の板状体２２を吊下器具１から側方に引き剥がすように取り外す。これにて、吊下器具１の天井下面に対する取り付け作業が終了する。
【００５４】
なお、本実施例においては、支持棒１１の下側の端面と枠体１２の壁部内側面との間に挟持される第１の突起部２３が、当該壁部内側面との間において面で接する。両側の壁部内側面は１２０度で交差しており、第１の突起部２３は正六角柱なので断面における６隅の各々の角度が同じく１２０度であるためである。このように、第１の突起部２３と枠体１２の壁部内側面とが２面により接することにより、それらが互いにずれることがなく、作業者による操作棒２１の回転動作によって、第１の突起部２３が壁部内側面から外れてしまうことがなく好適である。
【００５５】
（変形例）
上述した実施例は、本発明の技術的思想の範囲内で様々に変形が可能である。
【００５６】
例えば、上述した実施例における各要素の形状、大きさ、個数などを示す数値はあくまでも例示であって、特に問題がなければ他の数値が採用されてもよい。例えば、第２の突起部２４と第１の突起部２３との間の長さは６センチメートルとしたが、本発明はこれに限定されることなく、６センチメートルより短くしてもよいし長くしてもよい。
【００５７】
ただし、第２の突起部２４と第１の突起部２３との間の長さを支持棒１１と同じ長さ（例えば、１メートル）程度まで長くしてしまうと、第２の突起部２４と支持棒１１とが干渉してしまい、支持棒１１の建物の天井下部に対するねじ込みに支障をきたすので注意が必要である。このように、本実施例にかかる各要素の大きさは、使用の用途に応じて適宜、望ましい大きさに変化させてやる必要がある。
【００５８】
また、上述した実施例における各要素の素材は、特に問題がなければ、上述したものに限られず他の素材が採用されてもよい。例えば、支持棒１１等はスチール製としたがステンレスやアルミ製等の他の金属や、十分な強度が確保できるのであればプラスチック製等であってもよい。
【００５９】
また、支持棒１１は、その長手方向の全領域において外側面上に時計回りに螺旋状にネジ山が設けられているものとしたが、本発明はこれに限定されるものではない。例えば、支持棒１１は、一方の先端から長手方向に所定の長さの領域における外側面上（例えば、枠部１２２と螺合する部分）と、当該一方の先端とは異なる他方の先端から長手方向に所定の長さの領域における外側面上（例えば、インサートナットと螺合する部分）との各々に、同一方向に螺旋状にネジ山が設けられていれば足りる。ただし、螺旋状にネジ山が設けられている領域（長手方向の長さ）が小さ過ぎると支障をきたすので注意する必要がある。
【００６０】
また、第１の突起部２３は断面形状が六角形であるものとしたが、本発明はこれに限定されるものではなく、特に問題がなければ他のいかなる形状が採用されてもよい。ただし、第１の突起部２３が上述の壁部内側面と面で接触する形状を有していることが力の伝達や安定性の観点から望ましい。さもなければ、ユーザが操作棒１１を回転させる際に第１の突起部２３が壁部内側面から外れてしまう、すなわちずれてしまう可能性があるからである。
【００６１】
また、第１の突起部２３は、支持棒１１の下側の端面と線で接触しているものとしたが、第１の突起部２３もしくは支持棒１１の形状を工夫することによって、両者が点で接するような構成を採用してもよい。例えば、第１の突起部２３の上面を球形状にすることにより、両者の点による接触が可能となる。さらに、特に問題がなければ、第１の突起部２３および支持棒１１の下側の端面はいかなる形状を有していてもよい。ただし、第１の突起部２３および支持棒１１の下側の端面が面で接触するような形状が採用される場合には、両者の相対的な移動に対する摩擦力が大きくなってしまうため、例えばそれらの接触面に潤滑油を塗るなど、別途手当が行われることが望ましい。
【００６２】
また、被吊下物１３は、配管もしくは配電等のケーブルを支持するための環状体であるものとしたが、本発明はこれに限定されるものではない。例えば、被吊下物１３は鈎形状（フック形状）などの環状体以外の形状の器具であってもよいし、電球など、他のものを吊り下げるためのものでない対象物であってもよい。
【００６３】
また、左右両側の壁部内側面が交差する角度は１２０度であるものとしたが、本発明はこれに限られることなく、特に問題がなければ、他のいかなる角度が採用されてもよい。ただし、第１の突起部２３が当該壁部内側面と面で接触するように、壁部内側面が交差する角度は第１の突起部２３の側面がなす角度と一致することが望ましい。
【００６４】
また、第１の突起部２３を板状体２２に対し着脱可能としてもよい。枠体１２の下側の壁部内側面の形状は吊下器具によって異なる場合がある。そのため、それら複数の形状の各々に対応する形状の第１の突起部２３を準備しておき、取り付けたい吊下器具に応じた第１の突起部２３を板状体２２に取り付けることで、枠体１２の形状が異なる様々な吊下器具に対し、１つの取付器具で対応可能となる。
【００６５】
なお、突起部２３を板状体２２に着脱可能とする方法としては既知の様々なものが採用可能である。例えば、突起部２３にネジ孔を設け、板状体２２に貫通孔を設け、板状体２２の背面側からボルトを板状体２２の貫通孔に挿入し、さらに突起部２３のネジ孔にそのボルトを挿入してねじ込む方法や、突起部２３側にネジを溶接等で取り付け、板状体２２側に設けたネジ孔に突起部２３のネジ部をねじ込む方法などが考えられる。
【産業上の利用可能性】
【００６６】
本考案の吊下器具および取付器具は、工事の現場などにおいて重宝されるため、多く製造・販売され得る。従って、いわゆる製造業や小売業などのサービス業において利用可能である。
【符号の説明】
【００６７】
１…吊下器具、１１…支持棒、１２…枠体、１２１…雌ネジ、１２２…枠部、１３…被吊下物、１４…ボルト、１５…ナット、２…取付器具、２１…操作棒、２２…板状体、２３…第１の突起部、２４…第２の突起部
【図１】
0005779997.tif 000002
【図２】
0005779997.tif 000003
【図３】
0005779997.tif 000004